(57)【要約】【課題】立体感のある発光状態を十分に実現し得る遊技機を提供する。【解決手段】遊技機の前面部１に発光表示ユニット３を設ける。この発光表示ユニットは、表示開口２０を有する発光カバー体２１と、この発光カバー体の裏側にその表示開口を通して外部に臨んで取り付けられた表示部２２と、上記発光カバー体の表示開口に隣接して形成された凹条部３１と、この凹条部を発光させる凹条部発光手段３４と、凹条部に隣接した発光カバー体の発光部２６を発光させる発光部発光手段３３とを備える。【選択図】図３
2007117149.tif 000002
【特許請求の範囲】
【請求項１】
前面部に発光表示ユニットが設けられた遊技機であって、
上記発光表示ユニットは、表示開口を有する発光カバー体と、この発光カバー体の裏側にその表示開口を通して外部に臨んで取り付けられた表示部と、上記発光カバー体の表示開口に隣接して形成された凹条部と、この凹条部を発光させる凹条部発光手段と、凹条部に隣接した発光カバー体の発光部を発光させる発光部発光手段とを備えていることを特徴とする遊技機。
【請求項２】
上記発光カバー体の発光部は、凹条部と表示開口との間及び凹条部の表示開口と反対側側方の部位の少なくとも一方に設けられている請求項１記載の遊技機。
【請求項３】
上記凹条部発光手段と発光部発光手段は、互いに異なる色で発光させるようになっている請求項１又は２記載の遊技機。
【請求項４】
上記表示部は、液晶ディスプレイなどの画像表示装置である請求項１〜３のいずれか一つに記載の遊技機。
【請求項５】
上記凹条部は、透光性部材により発光カバー体と一体に形成されており、上記凹条部発光手段は、この発光カバー体の裏側に配置された発光光源からなる請求項１〜４のいずれか一つに記載の遊技機。
【請求項６】
上記凹条部の一方の側壁には反射ミラーが設けられている一方、凹条部の他方の側壁は、透光性部材により上記発光部の一部を構成してなり、上記凹条部発光手段は、この側壁の内側に配置された発光光源からなる請求項１〜４のいずれか一つに記載の遊技機。
【請求項７】
上記凹条部発光手段と発光部発光手段とは、１つの発光基板を共用し、この発光基板の表面に実装した発光素子により発光カバー体の発光部を発光させ、発光基板の裏面に実装した発光素子からの光を上記反射ミラーに向けて入射し、この反射ミラーで前方に反射するようになっている請求項６記載の遊技機。
【発明の詳細な説明】
【技術分野】
【０００１】
本発明は、スロットマシンなどの遊技機に関し、特に、遊技演出などのために装備される発光表示ユニットに係わる。
【背景技術】
【０００２】
スロットマシンなどの遊技機においては、遊技演出などのために、種々の色で発光する発光装置や液晶ディスプレイなどの表示装置が装備されており、近年、その大型化及びユニット化が図られている。例えばスロットマシンの場合、特許文献１に開示されるように、前面部を構成する前扉の上部に上部パネル体と称する発光表示ユニットが設けられている。この発光表示ユニットは、横幅が前扉の全幅に亘る長さを有しかつ中央部に表示開口を有するカバー体と、このカバー体の裏側にその表示開口を通して外部に臨んで取り付けられた液晶ディスプレイなどの表示部と、カバー体の左右両側に設けられたスピーカ部と、カバー体の上縁部に設けられたランプ部とを備えており、ランプ部はボーナスゲーム状態時に点灯して遊技演出に供される。
【特許文献１】特開２００２-１１１３８号公報
【発明の開示】
【発明が解決しようとする課題】
【０００３】
ところが、上記従来の発光表示ユニットでは、カバー体の表示開口つまり表示部を取り付けた部位がその左右両側のスピーカ部及び上側のランプ部よりも奥まって位置するため、表示部での表示がその分霞んだようになり、立体感に欠ける。逆に、表示部をランプ部よりも前方に余分に突出させる構造にすると、表示部側方に位置するランプ部の発光状態の視認を阻害する虞がある。
【０００４】
また、ランプ部の発光光源としては、特許文献１に例示する蛍光灯の外、複数色で発光させるために色違いの複数の発光ダイオードなどの発光素子を基板上に実装したものを用いることが考えられる。しかし、この場合、ランプ部の発光面は略平板状であり、かつ基板上の発光素子との距離も略同一であることから、複数色の発光によっても立体感のある発光状態を十分に実現することができず、この点からも立体感に欠けるという問題がある。
【０００５】
本発明はかかる点に鑑みてなされたものであり、その課題とするところは、従来の発光表示ユニットに改良を加えて、立体感のある発光状態を十分に実現し得る遊技機を提供せんとするものである。
【課題を解決するための手段】
【０００６】
上記の課題を解決するため、請求項１に係る発明は、前面部に発光表示ユニットが設けられた遊技機において、上記発光表示ユニットを、表示開口を有する発光カバー体と、この発光カバー体の裏側にその表示開口を通して外部に臨んで取り付けられた表示部と、上記発光カバー体の表示開口に隣接して形成された凹条部と、この凹条部を発光させる凹条部発光手段と、凹条部に隣接した発光カバー体の発光部を発光させる発光部発光手段とによって構成する。ここで、凹条部の断面は例えばＵ字形、Ｖ字形、コ字形などの形状で、対称又は非対称形状である。また、凹条部全体の形状も、線状溝に限らず、波形などの蛇行溝や、例えば一点鎖線状の分離溝でもよい。
【０００７】
この構成では、遊技機の前面部に設けられた発光表示ユニットの発光カバー体に、表示部が取り付けられる表示開口に隣接して凹条部が形成されているため、発光カバー体の表示開口ひいては表示部が凹条部よりも前方に突出して物理的に立体感が実現されることになる。しかも、この凹条部と凹条部に隣接した発光カバー体の発光部とは、それぞれ別々の発光手段、つまり凹条部発光手段と発光部発光手段により異なる色又は照度などで発光させられ、立体感のある発光状態が十分に実現させられる。
【０００８】
請求項２に係る発明は、請求項１記載の遊技機において、上記発光カバー体の発光部の位置を特定するものである。すなわち、発光カバー体の発光部を、凹条部と表示開口との間及び凹条部の表示開口と反対側側方の部位の少なくとも一方に設ける。
【０００９】
請求項３に係る発明は、請求項１又は２記載の遊技機において、上記凹条部発光手段と発光部発光手段を、互いに異なる色で発光させる構成にする。この構成では、照度などの他の要素で立体感を実現させる場合に比べて発光色の違いにより立体感をより高めることができる。
【００１０】
請求項４に係る発明は、請求項１〜３のいずれか一つに記載の遊技機において、上記表示部を、液晶ディスプレイなどの画像表示装置により構成する。この構成では、遊技中には画像表示装置からなる表示部の画像によっても遊技演出が行われるため、上述した発光カバー体の立体感のある発光状態の実現と相俟って遊技演出効果をより高めることができる。
【００１１】
請求項５及び６に係る発明は、共に請求項１〜４のいずれか一つに記載の遊技機において、上記凹条部及び凹条部発光手段の一つの具体的な形態を提供するものである。すなわち、請求項５に係る発明では、上記凹条部を、透光性部材により発光カバー体と一体に形成し、上記凹条部発光手段を、この発光カバー体の裏側に配置された発光光源によって構成する。この構成では、発光光源の光が発光カバー体の裏側から発光カバー体を透過して凹条部を発光させることになる。
【００１２】
また、請求項６に係る発明では、上記凹条部の一方の側壁に反射ミラーを設ける一方、凹条部の他方の側壁を、透光性部材により上記発光部の一部を構成するようにし、上記凹条部発光手段を、この側壁の内側に配置された発光光源によって構成する。この構成では、発光光源の光が凹条部の一側壁の内側からその側壁を透過して反対側の側壁に設けた反射ミラーで反射して凹条部を発光させるようになっているため、請求項５に係る発明の場合と比べて、凹条部を深く形成してもその側壁の内側つまり横側に発光光源を配置することができる。
【００１３】
請求項７に係る発明は、請求項６記載の遊技機において、上記凹条部発光手段及び発光部発光手段の好ましい形態を提供するものである。すなわち、この両発光手段は、１つの発光基板を共用し、この発光基板の表面に実装した発光素子により発光カバー体の発光部を発光させ、発光基板の裏面に実装した発光素子からの光を上記反射ミラーに向けて入射し、この反射ミラーで前方に反射するように構成する。この構成では、凹条部発光手段と発光部発光手段とで１つの発光基板を共用することにより、コンパクト化を図ることができる。また、発光カバー体の発光部は、その裏側に位置する発光基板の表面側の発光素子からの光が透過して発光する一方、発光カバー体の凹条部は、その側壁裏側に位置する発光基板の裏面側の発光素子からの光を反射ミラーで反射して発光するため、この両部分の発光形態の相違から立体感のある発光状態を確実に実現することができる。
【発明の効果】
【００１４】
以上のように、本発明の遊技機によれば、その前面部に設けた発光表示ユニットの発光カバー体の表示開口に隣接して凹条部が形成されているため、発光カバー体の表示開口ひいては表示部を相対的に前方に突出させて物理的に立体感を実現させることができる。しかも、この凹条部と凹条部に隣接した発光カバー体の発光部とが、それぞれ別々の発光手段により異なる色又は照度などで発光させられるため、立体感のある発光状態を十分に実現させることができ、発光表示効果を高めることができる。
【００１５】
特に、請求項３に係る発明では、発光カバー体の凹条部と発光部とが互いに異なる色で発光するため、照度などの他の要素で立体感を実現させる場合に比べて立体感をより高めることができる。
【００１６】
請求項４に係る発明では、遊技中には画像表示装置からなる表示部の画像によっても遊技演出が行われるため、発光カバー体の立体感のある発光状態の実現と相俟って遊技演出効果をより高めることができる。
【００１７】
請求項６に係る発明では、発光光源の光が凹条部の一側壁の内側からその側壁を透過して反対側の側壁に設けた反射ミラーで反射して凹条部を発光させるようになっているため、凹条部を深く形成してもその側壁の横側に発光光源を配置することができ、特に発光表示ユニットの奥行きに制限がある場合にも適用することができ、汎用性に優れた効果を有する。
【００１８】
さらに、請求項７に係る発明では、凹条部発光手段と発光部発光手段とで１つの発光基板を共用することにより、コンパクト化を図ることができる上、発光カバー体の発光部と凹条部の発光形態の相違から立体感のある発光状態を確実に実現することができるので、実施化を図る上で有利なものである。
【発明を実施するための最良の形態】
【００１９】
以下、本発明を実施するための最良の形態である実施形態を図面に基づいて説明する。
【００２０】
図１及び図２は本発明の第１の実施形態に係る遊技機としてのスロットマシンＡを示し、１は遊技面である前面部を構成する前扉であって、この前扉１は、筐体の前方開口部（図示せず）に開閉可能に取り付けられている。
【００２１】
上記前扉１は、左右両側の端フレーム２Ｌ，２Ｒ同士を上部フレームとしての発光表示ユニット３、中間フレームとしての操作盤４及び下部フレーム５でそれぞれ連結して枠構造が構成されている。操作盤４上には操作部としてのメダル投入口６、始動スイッチ７及び３つの停止スイッチ８，８，８などが適宜配置されている。
【００２２】
上記前扉１の中央部には中間パネル１１が装着されており、この中間パネル１１の周囲は発光表示ユニット３，左右の端フレーム２Ｌ，２Ｒ及び操作盤４により支持されている。中間パネル１１は、アクリル板のような透明な合成樹脂板や強化ガラス板などの裏面にシルクスクリーン印刷により絵柄や模様などを施してなり、この中間パネル１１の中央部には、シルクスクリーン印刷を施さず透明なままの部分である矩形状のリール表示窓１２が形成されている。このリール表示窓１２からは、筐体内に配置されたリール装置の３つの回転リール１３，１３，１３の各外周面に一列に描かれた図柄（図示せず）が３つずつ見えるようになっており、始動スイッチ７の操作により各回転リール１３を回転させた後停止スイッチ８の操作によりその回転を停止させたときリール表示窓１２の有効ライン上に所定の図柄が揃うか否かによって遊技が行われる。
【００２３】
上記前扉１の下部（詳しくは操作盤４と下部フレーム５との間）には下部パネル１５が下部パネル枠１６により周囲を保持した状態で装着されており、この下部パネル１５は、タイトルパネルとして矩形状の合成樹脂板の裏面に機種名などを印刷してなる。また、前扉１の下部フレーム５にはメダル払出口１７が設けられているとともに、このメダル払出口１７から払い出されるメダルを受け取るためのメダル受け皿１８が取り付けられている。
【００２４】
一方、上記発光表示ユニット３は、図３にも示すように、中央部に矩形状の表示開口２０を有する発光カバー体２１と、この発光カバー体２１の裏側にその表示開口２０を通して外部に臨んで取り付けられた表示部としての液晶ディスプレイ、ＥＬパネル又はドットパターン表示装置などの画像表示装置２２と、発光カバー体２１の左右両側部に設けられた一対のスピーカ部２３，２３とを備えている。発光カバー体２１は、主として、カバー体の強度部材としてのベースカバー２４と、このベースカバー２４の中央部に環状カバー２５を介在してねじ止めにより固定され、表示開口２０を囲周する環状発光部２６を構成するメインカバー２７と、ベースカバー２５の左右両側部に固定され、各スピーカ部２３Ｌ，２３Ｒの放音部及びその周囲の耳形発光部２８を構成する左右一対のサイドカバー２９，２９とを有し、この発光カバー体２１の構成部材２４，２５，２７，２９はいずれも合成樹脂からなり、特に環状カバー２５、メインカバー２７の大部分（環状発光部２６を構成する部分）及びサイドカバー２９はアクリル樹脂など透光性を有する合成樹脂からなる。
【００２５】
上記発光カバー体２１にはそのメインカバー２７の左右両縁に隣接して一対の略円弧状の凹条部３１，３１が形成されており、この各凹条部３１の中央寄りつまり表示開口２０寄りの側壁３１ａは、メインカバー２７の外周面及び環状カバー２５により略垂直に切り立っている一方、各凹条部３１の表示開口２０と反対側の側壁３１ｂは、ベースカバー２４により前向きに外寄りに傾斜して形成されている。各凹条部３１の最深部は、発光カバー体２１（詳しくはメインカバー２７）の表示開口２０よりも奥側つまり筐体側に位置している。また、ベースカバー２４の、少なくとも凹条部３１の側壁３１ｂを構成する部位の表面には、図４に示すように、メッキ処理、反射シートの貼着又は光反射塗料の塗布などにより反射ミラー３２が設けられている。
【００２６】
さらに、上記発光表示ユニット３は、発光カバー体２１のメインカバー２７の環状発光部２７を発光させる環状発光部発光手段３３と、発光カバー体２１の各凹条部３１を発光させる一対の凹条部発光手段３４，３４と、発光カバー体２１の各サイドカバー２９の耳形発光部２８を発光させる一対の耳形発光部発光手段３５，３５とを備えている。環状発光部発光手段３３と凹条部発光手段３４は、図４に詳示するように、凹条部３１の表示開口２０寄りの側壁３１ａの内側であるメインカバー２７の裏側にねじ止めにより固定した１つの発光基板３６を共用し、この発光基板３６の表面に実装した発光素子としての発光ダイオード３７によりメインカバー２７の環状発光部２６のうちの凹条部３１に隣接した部位を発光させ、発光基板３６の裏面の縁部に実装した発光素子としての発光ダイオード３８からの光を環状カバー２５を通して凹条部３１の側壁３１ｂの反射ミラー３２に向けて入射し、この反射ミラー３２で前方に反射するようになっている。ここで、発光基板３６の表裏両面の発光ダイオード３７，３８は、本実施形態の場合共に白色光を発光するものであるが、メインカバー２７と環状カバー２５の色が相違することから、環状発光部発光手段３３と凹条部発光手段３４は、それぞれメインカバー２７又は環状カバー２５の色でもって発光し、遊技者などからは互いに異なった色で発光するように見える。
【００２７】
尚、環状発光部発光手段３３は、本実施形態の場合図示していないが、表示開口２０の各辺に対応して４つの発光基板を有し、表示開口２０の側辺に対応した発光基板３６のみを凹条部発光手段３４と共用するものである。また、耳形発光部発光手段３５は、サイドカバー２９の耳形発光部２８の裏側に配置された発光基板３９と、この発光基板に実装した発光ダイオード（図示せず）とからなる。
【００２８】
従って、上記スロットマシンＡにおいては、発光表示ユニット３の発光カバー体２１に、画像表示装置２２が取り付けられる表示開口２０に隣接して左右一対の凹条部３１，３１が形成されているため、発光カバー体２１の表示開口２０ひいては画像表示装置２２の表示画面は、凹条部３１がない場合よりも凹条部３１の深さ分相対的に前方に突出して見えるようになり、物理的な立体感を実現することができる。しかも、この凹条部３１と凹条部３１に隣接した発光カバー体２１のメインカバー２７の環状発光部２６とは、それぞれ別々の発光手段、つまり凹条部発光手段３４と環状発光部発光手段３３により異なる色や照度などで発光させられるため、立体感のある発光状態を十分に実現することができ、発光表示効果を高めることができる。なお、同系色による発光を用いて凹条部３１において発光状態の濃淡を生じさせて立体感のある発光状態を延出するようにしてもよい。
【００２９】
特に、本実施形態の場合、発光カバー体２１の表示開口２０に取り付ける表示部として液晶ディスプレイなどの画像表示装置２２が用いられ、遊技中はこの画像表示装置２２の画像表示によっても遊技演出が行われるため、上述した発光カバー体２１の立体感のある発光状態の実現と相俟って遊技演出効果をより高めることができる。
【００３０】
また、上記凹条部発光手段３４は、凹条部３１の表示開口２０寄りの側壁３１ａの内側であるメインカバー２７の裏側に発光光源としての発光基板３６及びそれに実装した発光ダイオード３８が配置され、この発光ダイオード３８の光が凹条部３１の側壁３１ａを構成する環状カバー２５を透過して反対側の側壁３１ｂの表面に設けた反射ミラー３２に反射して凹条部３１を発光させる構成になっているため、凹条部３１を深く形成してもその側壁３１ａの横側に発光基板３６を容易に配置することができる。このため、特に発光表示ユニット３の奥行きに制限がある場合にも適用することができ、汎用性に優れた効果を有する。
【００３１】
さらに、上記凹条部発光手段３４と環状発光部発光手段３３は、１つの発光基板３６を共用し、この発光基板３６の表面に実装した発光ダイオード３７により発光カバー体２１のメインカバー２７の環状発光部２６を発光させ、発光基板３６の裏面に実装した発光ダイオード３８からの光を凹条部３１の反射ミラー３２に向けて入射し、この反射ミラー３２で前方に反射するように構成されているため、コンパクト化を図ることができるとともに、環状発光部２６と凹条部３１の発光形態の相違から立体感のある発光状態を確実に実現することができる。
【００３２】
図５は本発明の第２の実施形態に係るスロットマシンＢの前扉１を示し、この第２の実施形態の場合、前扉１の上部に設けられる発光表示ユニット４０の構造が、第１の実施形態の場合における発光表示ユニット３のそれと異なる。
【００３３】
すなわち、上記発光表示ユニット４０は、基本的には、第１の実施形態の場合における発光表示ユニット３と同じく、中央部に矩形状の表示開口４１を有する発光カバー体４２と、この発光カバー体４２の裏側にその表示開口４１を通して外部に臨んで取り付けられた表示部としての画像表示装置４３と、発光カバー体４２の左右両側部に設けられた一対のスピーカ部４４，４４とを備えている。
【００３４】
上記発光カバー体４２は、その表面側の大部分が透光性を有する合成樹脂からなる。また、発光カバー体４２には、図６にも示すように、表示開口４１の左右両側に隣接してそれぞれ上下方向に延びる一対の凹条部４５，４５が一体に形成されており、この各凹条部４５とスピーカ部４４との間の部位（換言すれば各凹条部４５の表示開口４１と反対側側方の部位）は、それぞれ凹条部隣接発光部４６を構成している。
【００３５】
さらに、上記発光表示ユニット４０は、上記各凹条部４５を発光させる一対の凹条部発光手段４７，４７と、上記各凹条部隣接発光部４６を発光させる一対の発光部発光手段４８，４８とを備えている。この凹条部発光手段４７及び発光部発光手段４８は、それぞれ発光カバー体４２の裏側に配置された発光基板４７ａ，４８ａと、この発光基板４７ａ，４８ａの表面に実装した発光光源ないし発光素子としての発光ダイオード４７ｂ，４８ｂとからなり、両発光手段４７，４８の発光ダイオード４７ｂ，４８ｂは、本実施形態の場合、異なる色で発光するようになっている。
【００３６】
尚、発光カバー体４２は、凹条部４５及び凹条部隣接発光部４６以外にも、上縁部に沿って延びる上縁発光部４９がその裏側に配置された発光基板と発光ダイオードとからなる発光光源により発光するようになっている。また、スロットマシンＢのその他の構成は、第１の実施形態におけるスロットマシンＡの場合と同じであり、同一部材には同一符号を付してその説明は省略する。
【００３７】
そして、上記スロットマシンＢにおいても、第１の実施形態におけるスロットマシンＡの場合と同じく、発光表示ユニット４０の発光カバー体４２に、画像表示装置４３が取り付けられる表示開口４１に隣接して左右一対の凹条部４５，４５が形成されているため、発光カバー体４２の表示開口４１ひいては画像表示装置４３の表示画面は、凹条部４５がない場合よりも凹条部４５の深さ分相対的に前方に突出して見えるようになり、物理的な立体感を実現することができる。しかも、この凹条部４５と凹条部４５に隣接した発光カバー体４２の凹条部隣接発光部４６とは、それぞれ別々の発光手段、つまり凹条部発光手段４７と発光部発光手段４８により異なる色や照度などで発光させられるため、立体感のある発光状態を十分に実現することができ、発光表示効果を高めることができるなどの効果を奏する。
【００３８】
尚、本発明は上記第１及び第２の実施形態に限定されるものではなく、その他種々の形態を包含するものである。例えば上記第２の実施形態では、発光表示ユニット４０の発光カバー体４２に、その表示開口４１の左右両側に隣接して一対の凹条部４５，４５を形成するとともに、この各凹条部４５の表示開口４１と反対側側方の部位に一対の凹条部隣接発光部４６，４６を設けたが、本発明は、例えば図７に示すように、発光カバー体４２の表示開口４１の左右両側に、第２の実施形態の場合よりも大きい間隔を隔てて一対の凹条部５１，５１を形成するとともに、この各凹条部４５と表示開口４１との間に一対の凹条部隣接発光部５２，５２を設けてもよい。この場合、発光カバー体４２の裏側に、各凹条部５１をそれぞれ発光させる一対の凹条部発光手段５３，５３と、各凹条部隣接発光部５２をそれぞれ発光させる一対の発光部発光手段５４，５４とを配置すればよい。また、発光カバー体４２の表示開口４１の左右両側に一対の凹条部を形成するとともに、この各凹条部と表示開口との間及び各凹条部の表示開口と反対側側方の部位にそれぞれ一対ずつの凹条部隣接発光部を設けるように構成してもよい。
【００３９】
また、上記各実施形態では、いずれも発光カバー体２１，４２の表示開口２０，４１に画像表示装置２２，４３が取り付けられる場合について述べたが、本発明は、この場合に限らず、例えば入賞時の配当表や機種名などを印刷した表示パネルが発光カバー体の表示開口に取り付けられる場合にも同様に適用できるのは勿論であり、特にパネル裏側に配置した発光ランプにより背後照明を施した表示パネルを用いるのが好ましい。
【００４０】
さらに、上記各実施形態では、発光カバー体２１，４２の凹条部３１，４５，５１及び発光部２６，２８，４６，４９，５２をそれぞれ発光させる凹条部発光手段３４，４７，５３及び発光部発光手段３３，３５，４８，５４においては、いずれも発光光源として、発光基板３６，３９，４７ａ，４８ａに実装した発光素子としての発光ダイオード３７，３８，４７ｂ，４８ｂを用いたが、本発明は、この発光ダイオードの代わりに、有機ＥＬなどの発光素子、あるいは豆球や冷陰極管などを用いて構成してもよい。
【００４１】
加えて、本発明は、上記各実施形態の如くスロットマシンＡ，Ｂの前扉１に設けられる発光表示ユニットに限らず、パチンコ機又は業務用ゲーム機などの前面部に設けられる発光表示ユニットにも同様に適用することができる。
【図面の簡単な説明】
【００４２】
【図１】本発明の第１の実施形態に係るスロットマシンの正面図である。
【図２】上記スロットマシンの前扉の斜視図である。
【図３】図１のＸ−Ｘ線における拡大断面図である。
【図４】図３の一部拡大図である。
【図５】第２の実施形態を示す図２相当図である。
【図６】図５のＹ−Ｙ線における拡大断面図である。
【図７】別の実施形態を示す図６相当図である。
【符号の説明】
【００４３】
Ａ，Ｂ    スロットマシン（遊技機）
１    前扉（前面部）
３，４０    発光表示ユニット
２０，４１    表示開口
２１，４２    発光カバー体
２２，４３    画像表示装置（表示部）
２６    環状発光部
２８    耳形発光部
３１，４５，５１    凹条部
３１ａ，３１ｂ    側壁
３２    反射ミラー
３３    環状発光部発光手段
３４，４７，５３    凹条部発光手段
３５    耳形発光部発光手段
３７，３８，４７ｂ，４８ｂ    発光ダイオード（発光光源、発光素子）
４６，５２    凹条部隣接発光部
４８，５４    発光部発光手段
４９    上縁発光部
【図１】
2007117149.tif 000003
【図２】
2007117149.tif 000004
【図３】
2007117149.tif 000005
【図４】
2007117149.tif 000006
【図５】
2007117149.tif 000007
【図６】
2007117149.tif 000008
【図７】
2007117149.tif 000009